(57)【要約】      （修正有）【課題】日中の音声ガイドに対し夜間の音声ガイドの速度、音量および音程を変更したい場合には、その都度、速度、音量および音程の設定を個別に変更する必要があり、状況に合わせて音声ガイドの設定を変更するのに手間が掛かるという問題があった。【解決手段】被調理物を調理する調理手段１７と、調理手段１７を制御して調理動作を実行すると共に、音声ガイド動作を実行する制御手段３０とを備えた調理器１１において、制御手段３０は、音声ガイドの速度を変更すると、この速度に応じて音程を変更する。【選択図】図２
2010266150.tif 000002
【特許請求の範囲】
【請求項１】
被調理物を調理する調理手段と、該調理手段を制御して調理動作を実行すると共に、音声ガイド動作を実行する制御手段とを備えた調理器において、
前記制御手段は、音声ガイドの速度を変更すると、この速度に応じて音程を変更することを特徴とする調理器。
【請求項２】
前記制御手段は音声の速度を遅くすると、音程を上げることを特徴とする請求項１に記載の調理器。
【請求項３】
前記制御手段は音声の速度を遅くすると、音程を下げることを特徴とする請求項１に記載の調理器。
【請求項４】
前記制御手段は音声の速度を速くすると、音程を下げることを特徴とする請求項１に記載の調理器。
【請求項５】
第１音声スイッチを更に備え、前記第１音声スイッチのオン信号に基づいて、予め設定された状態となるように前記制御手段は、音声の速度を遅くし、かつ、音程を上げることを特徴とする請求項２に記載の調理器。
【請求項６】
前記制御手段は更に、音量を上げることを特徴とする請求項５に記載の調理器。
【請求項７】
第２音声スイッチを更に備え、前記第２音声スイッチのオン信号に基づいて、予め設定された状態となるように前記制御手段は、音声の速度を遅くし、かつ、音程を下げることを特徴とする請求項３に記載の調理器。
【請求項８】
音声の速度を速く設定する第３音声スイッチと、音声の速度を遅く設定する第４音声スイッチとを備え、前記第３音声スイッチのオン信号に基づいて前記制御手段は音声の速度を段階的に速くし、かつ音程を段階的に下げ、前記第４音声スイッチのオン信号に基づいて前記制御手段は音声の速度を段階的に遅くし、かつ音程を段階的に上げることを特徴とする請求項１に記載の調理器。
【請求項９】
時刻を計時する計時手段を更に備え、
計時した時刻に応じて、前記制御手段が音声の速度、音程、および音量を変更することを特徴とする請求項１に記載の調理器。
【請求項１０】
前記計時手段が朝であることを計時すると、前記制御手段は音声の速度を遅くし、音程および音量を上げることを特徴とする請求項９に記載の調理器。
【請求項１１】
前記計時手段が夜間であることを計時すると、前記制御手段は音声の速度を遅くし、音程および音量を下げることを特徴とする請求項９に記載の調理器。
【発明の詳細な説明】
【技術分野】
【０００１】
本発明は、炊飯器、湯沸かし器など調理器に関し、特に音声ガイド機能を備えた調理器に関する。
【背景技術】
【０００２】
従来、調理器の利便性を向上させるために、操作方法や操作内容を音声で案内する音声ガイド機能を備えた調理器が提案されている。
【０００３】
例えば特許文献１には、報知音声を聞き逃した場合に、聞き逃した報知音声を再生することができ、かつ、音声の再生速度が少なくとも２種類以上設定された加熱調理器が提案されている。
【０００４】
特許文献２には、音声ガイドの設定項目として、音声ガイドのアナウンススピード、音声ガイドの音量、または音声ガイドの音色を、操作部からの操作によって自在に設定することで、各使用者に適した音声ガイドとすることができる加熱調理器が提案されている。
【０００５】
しかし、特許文献１に記載の加熱調理器では、音声の再生速度を遅くして再生した場合、おっとり聞こえてしまい、緊張感が出ないという問題があった。また、画一的な口調のガイダンスは、使用者の様々な状況に適合しないという問題があった。
【０００６】
特許文献２に記載の加熱調理器では、各使用者に適した音声ガイドとすることができるが、例えば、日中の音声ガイドに対し夜間の音声ガイドの速度、音量および音程を変更したい場合には、その都度、速度、音量および音程の設定を個別に変更する必要があり、状況に合わせて音声ガイドの設定を変更するのに手間が掛かるという問題があった。
【先行技術文献】
【特許文献】
【０００７】
【特許文献１】特開２００６−７７９９７号公報
【特許文献２】特開２００８−２３２５０９号公報
【発明の概要】
【発明が解決しようとする課題】
【０００８】
本発明は、前記従来の問題点に鑑みてなされたもので、簡単な操作で状況に合わせた音声ガイドに設定すると共に、状況に応じた緊張感を演出することができる音声ガイド機能を備えた調理器を提供することを課題とする。
【課題を解決するための手段】
【０００９】
前記課題を解決するための手段として、本発明に係る調理器は、
被調理物を調理する調理手段と、該調理手段を制御して調理動作を実行すると共に、音声ガイド動作を実行する制御手段とを備えた調理器において、
前記制御手段は、前記音声ガイドの速度を変更すると、この速度に応じて音程を変更するものである。
【００１０】
前記調理器では、制御手段が前記音声ガイドの速度を変更すると、この速度に応じて音程を変更するので、状況に合わせて聞き取りやすい音声に変更することができる。
【００１１】
具体的な１つの手段として、前記制御手段は音声の速度を遅くすると、音程を上げることが好ましい。
これにより、速度を遅くすることによって音声がおっとり聞こえることを防止し、緊張感を演出することができる。
【００１２】
他の手段として、前記制御手段は音声の速度を遅くすると、音程を下げることが好ましい。
これにより、例えば静かな環境でくつろいでいる場合に、使用者は落ち着いた安らかな音声ガイドを聞くことができる。
【００１３】
前記制御手段は音声の速度を速くすると、音程を下げることが好ましい。
これにより、例えば、音声ガイドに慣れた使用者が使用する場合に、音声が速く聞こえすぎるように感じるのを防止することができる。
【００１４】
第１音声スイッチを更に備え、前記第１音声スイッチのオン信号に基づいて、予め設定された状態となるように前記制御手段は、音声の速度を遅くし、かつ、音程を上げることが好ましい。
この場合、前記制御手段は更に、音量を上げることが好ましい。
これにより、聴力の弱い使用者、例えば高齢者が簡単な操作で、聞き取りやすい音声に設定することができる。
【００１５】
第２音声スイッチを更に備え、前記第２音声スイッチのオン信号に基づいて、予め設定された状態となるように前記制御手段は、音声の速度を遅くし、かつ、音程を下げることが好ましい。
これにより、使用者は簡単な操作で、落ち着いた安らかな音声ガイドを聞くことができる。
【００１６】
音声の速度を速く設定する第３音声スイッチと、音声の速度を遅く設定する第４音声スイッチとを備え、前記第３音声スイッチのオン信号に基づいて前記制御手段は音声の速度を段階的に速くし、かつ音程を段階的に下げ、前記第４音声スイッチのオン信号に基づいて前記制御手段は音声の速度を段階的に遅くし、かつ音程を段階的に上げることが好ましい。
これにより、簡単な操作で、使用者は状況や気分に合わせて音声を変更することができる。
【００１７】
時刻を計時する計時手段を更に備え、
計時した時刻に応じて、前記制御手段が音声の速度、音程、および音量を変更することが好ましい。
これにより、使用者がスイッチ部を操作することなく、制御手段が音声を時刻に応じて聞き取りやすい音声に変更することができる。
【００１８】
前記計時手段が朝であることを計時すると、前記制御手段は音声の速度を遅くし、音程および音量を上げることが好ましい。
これにより、活動前の状態である使用者に対して、確実に音声ガイドを伝えることができる。
【００１９】
前記計時手段が夜間であることを計時すると、前記制御手段は音声の速度を遅くし、音程および音量を下げることが好ましい。
これにより、くつろいでいる環境を妨害せずに音声ガイドを実行することができる。
【発明の効果】
【００２０】
本発明によれば、制御手段が前記音声ガイドの速度を変更すると、この速度に応じて音程を変更するので、簡単な操作で状況に合わせて聞き取りやすい音声に変更することができる。
【図面の簡単な説明】
【００２１】
【図１】本発明の実施形態に係る調理器のブロック図である。
【図２】図１の調理器のスイッチ部の一例を示す正面図である。
【図３】図１の調理器のスイッチ部の他の例を示す正面図である。
【発明を実施するための形態】
【００２２】
次に、添付図面を参照して、本発明に係る実施形態を詳細に説明する。
【００２３】
図１に、本発明の実施形態による調理器として炊飯器１１を用いた例を示す。この炊飯器１１は、有底胴状の本体１２と、該本体１２内に配設され、米飯を収容する容器である内鍋１３と、ヒンジ軸１４周りに回動自在に本体１２に軸支された蓋体１５とからなる公知の炊飯器である。
【００２４】
本体１２の内底には、内鍋１３の底部を加熱する調理手段である炊飯ヒータ１７と、内鍋１３の温度を測定する内鍋用温度センサ１８とが設けられている。
【００２５】
本体１２の正面には、時刻などを表示する表示装置２２、および図２に示す、使用者が音声状態を設定するためのスイッチ部２３が配設されている。スイッチ部２３には、その上部に音声を示す表示（以下、音声表示と呼ぶ）２４が設けられ、音声表示２４の下側には、高齢者など聴力の弱い使用者用の第１音声スイッチであるはっきりスイッチ２５、リラックス用の第２音声スイッチであるリラックススイッチ２６、および音声の速度を任意に設定できるノーマルスイッチ２７が直線上に設けられている。また、ノーマルスイッチ２７の下側には、音声の話速、すなわち速度を速くするための第３音声スイッチである△印の上スイッチ２８と、音声の速度を遅くするための第４音声スイッチである▽印の下スイッチ２９とが設けられている。上スイッチ２８または下スイッチ２９をオンすることにより音声の速度が変更されると共に、速度の変更に応じた音程に変更されるようになっている。これら上スイッチ２８と下スイッチ２９とにより、使用者は好みの音声速度を設定し、この音声速度に応じた音程が設定され、ノーマルスイッチ２７の設定として、後述する不揮発性記憶装置３２に記憶される。なお、記憶される場所は前記不揮発性記憶装置３２に限定されず、後述する制御装置（制御手段）３０や音声制御装置（音声制御手段）３１であってもよい。このスイッチ部２３により、使用者は音声の状態を選択し、若しくは音声の状態を設定することができる。
【００２６】
本体１２には、制御装置３０と、音声制御装置３１と、不揮発性記憶装置３２とが設けられている。制御装置３０は、内鍋用温度センサ１８、および計時装置（計時手段）１９からの信号に基づいて、炊飯ヒータ１７を制御して炊飯動作を実行する一方、スイッチ部２３および計時装置１９からの信号に基づいて、音声制御装置３１に指令を与え音声ガイド動作を実行する。音声制御装置３１は入力された設定に基づき、話速変更装置（話速変更手段）３３、音程変更装置（音程変更手段）３４、および音量変更装置（話速変更手段）３５により、音声の速度、音程、および音量を変更する。音声合成装置（音声合成手段）３６は、制御装置３０および前記各種変更装置３３、３４、３５からの命令に応じた音声データを出力する。音声合成ＩＣ３７は音声合成装置３６から出力された音声データを入力して音声信号を出力し、発振子３８は音声合成ＩＣ３７のクロックを作り、アンプ３９は音声信号を増幅し、スピーカ４０はアンプ３９からの信号を変換し音声を出力する構成である。不揮発性記憶装置３２は、上スイッチ２８または下スイッチ２９で設定した音声の速度および音程を記憶する。
【００２７】
音声ガイドは、操作用ガイダンスと警告用ガイダンスとに分類される。操作用ガイダンスとして例えば、「音声案内を開始します。」、「炊飯を開始します。」、「取り消しました。」などがある。警告用ガイダンスとしては例えば、「鍋を入れ忘れています。」、「庫内が高温です、冷やして下さい。」などがある。
【００２８】
次に、炊飯器１１の動作について説明するが、炊飯動作は従来公知であるため説明を省略し、音声ガイド動作のみ説明する。
炊飯器１１の電源を投入すると制御装置３０はまず、「音声案内を開始します。」との音声ガイドを実行する。続いて、使用者が炊飯を開始する場合、炊飯スイッチ（図示せず）をオンすると、制御装置３０は、「炊飯を開始します。」との音声ガイドを実行する。このとき、音声の速度、音程、および音量は音声制御装置３１に記憶されている標準状態に設定されている。
【００２９】
例えば、静かな環境でくつろいでいると、標準状態の音声では速度が速く感じることがある。この場合には、使用者がリラックススイッチ２６をオンする。すると、このリラックススイッチ２６のオン信号に基づいて、制御装置３０は音声制御装置３１の話速変更装置３３、音程変更装置３４、および音量変更装置３５にそれぞれ指令を与える。これにより、音声制御装置３１は話速変更装置３３により音声の速度を標準状態よりも遅くし、音程変更装置３４により音程を標準状態よりも下げ、かつ、音量変更装置３５により標準状態よりも音量を下げるように変更する。従って、使用者は落ち着いた安らかな音声ガイドを聞くことができる。
【００３０】
また高齢者など聴力の弱い使用者が、この炊飯器１１を使用する場合にあらかじめ、はっきりスイッチ２５をオンすることで、このはっきりスイッチ２５のオン信号に基づいて音声制御装置３１は標準状態よりも音声の速度を遅くし、音程を上げるように変更する。音程を上げることで、音声の速度を遅くした場合に音声がおっとり聞こえることを防止し、聴力の弱い使用者も聞き取りやすい音声ガイドを聞くことができる。
【００３１】
リラックススイッチ２６、または、はっきりスイッチ２５をオンした状態から、ノーマルスイッチ２７をオンすることで、制御装置３０は音声の速度、音程、および音量を使用者の好みに応じた設定状態に戻すことができる。
【００３２】
更に、音声ガイドに慣れた使用者、例えば非高齢者のように、標準状態での音声の速度が遅く感じる場合には、ノーマルスイッチ２７をオンした上で、上スイッチ２８をオンする。すると、制御装置３０は上スイッチ２８が１回オンされる毎に、音声の速度を標準状態よりも一段階速くすると共に、音程を一段階低くする。音声の速度を速くし過ぎた場合や、初期設定が使用者にとって速度が速く聞き取りづらい場合には、下スイッチ２９をオンする。すると、制御装置３０は下スイッチ２９が１回オンされる毎に、音声の速度を一段階遅くすると共に、音程を一段階上げる。これにより、速く聞こえすぎるような感覚や、逆におっとりと聞こえるような感覚を抑制することができる。
【００３３】
以上のように、リラックススイッチ２６、はっきりスイッチ２５、上スイッチ２８、または下スイッチ２９をオンすると、制御装置３０は音声の速度を変更すると共に、音程も変更するので、簡単な操作で状況に合わせた音声に変更することができる。
【００３４】
なお、前記実施形態では、はっきりスイッチ２５をオンすると制御装置３０により音声の速度および音程が変更された。しかし、はっきりスイッチ２５をオンすると速度および音程の変更に加えて、制御装置３０が音声の音量を上げるように変更してもよい。これにより、高齢者が音声を、より聞き取りやすくすることができる。
【００３５】
本発明に係る炊飯器１１は、前記実施形態に限定されるものではなく、種々の変形が可能である。
【００３６】
前記実施形態では手動で音声スイッチ２４およびリラックススイッチ２６をオンし、音声の状態を変更した。しかし、音声ガイド動作として炊飯中に異常事態が発生して繰り返し警告をする場合、制御装置３０が音声を変更してもよい。例えば内鍋用温度センサ１８が、内鍋１３の温度が異常に高温になっていることを検出すると、警告用ガイダンスとして、「庫内が高温です、冷やして下さい。」との音声を繰り返し実行する。このとき、制御装置３０は、警告用ガイダンスが開始されてからの時間の経過と共に音程を上げていくことで、緊張感を上げて音声ガイドを実行することができる。また、計時装置１９により炊飯器１１が使用されている時刻を計時し、この時刻に合わせて制御装置３０が音声の速度などを変更してもよい。
【００３７】
例えば、計時装置１９により朝であることが計時された場合には、はっきりスイッチ２５をオンしなくても、制御装置３０が標準よりも音声の速度を遅くし、音程、および音量を上げる構成も採用し得る。ここで、朝とは、活動前である夜明けからおよそ９時頃までをいう。
【００３８】
夜間の時間帯であることが計時された場合には、リラックススイッチ２６をオンしなくても、制御装置３０が標準よりも音声の速度を遅くし、音程を低くして、かつ、音量を下げる構成も採用し得る。これにより、自動的に状況に合わせて聞き取りやすい音声に変更することができる。ここで、夜間とは、２１時頃から日の出までをいう。
【００３９】
スイッチ部２３の音声表示２４、はっきりスイッチ２５、リラックススイッチ２６、ノーマルスイッチ２７、上スイッチ２８、および下スイッチ２９の配置に関しては、前記実施形態に限定されず、種々の配置が可能である。
【００４０】
図３に、表示装置２２、およびスイッチ部２３の他の例を示すが、図２の実施形態と同一の要素には、同一の符号を付して説明を省略する。
【００４１】
このスイッチ部２３は、表示装置２２の下側に設けられ、音声選択スイッチ４２および上スイッチ２８と下スイッチ２９とを備えている。音声選択スイッチ４２を押すと、表示装置２２には上から順に、１リラックス、２はっきり、３ノーマルの表示がなされる。１リラックス、２はっきり、３ノーマルの選択は、音声選択スイッチ４２を連続して押圧するか、タッチスイッチで行うことができる。前記表示のうちいずれか１つを選択ことにより、前記実施形態のリラックススイッチ２６、はっきりスイッチ２５、またはノーマルスイッチ２７をオンするのと同様の効果が得られる。また、３ノーマルの表示を選択したときは、上スイッチ２８および下スイッチ２９で音声の速度および音程を変更できる。
【符号の説明】
【００４２】
１１  炊飯器（調理器）
１７  炊飯ヒータ（調理手段）
１９  計時装置（計時手段）
２３  スイッチ部
３０  制御装置（制御手段）
３３  話速変更装置（話速変更手段）
３４  音程変更装置（音程変更手段）
３５  音量変更装置（音量変更手段）
【図１】
2010266150.tif 000003
【図２】
2010266150.tif 000004
【図３】
2010266150.tif 000005